(57)【特許請求の範囲】
【請求項１】
上枡と下枡、或いはその中間に高さを調整する中間枡等を介在させて成るメータボックスの両側の配管貫通孔部に、外形が前記配管貫通孔部に嵌合し、内形がメータユニットの継手部の外形を保持する所定厚の弾性土留め部材を嵌着し、前記弾性土留め部材にメータユニットの継手部を挟持させることにより、メータボックス内にメータユニットを固定的に保持するようにした保持機能付水道用メータユニットであって、
前記弾性土留め部材を、上下分割により上片部材と下片部材に分割し、上下枡の嵌合により前記弾性土留め部材が組合せ形成されるものとしたことを特徴とする保持機能付水道用メータユニット。
【請求項２】
前記弾性土留め部材を、前記弾性土留め部材の外形を前記配管貫通孔部に形成された構造的凹凸面に対応して嵌合する凹陥部、突条部、突起部を形成するように構成した請求項１記載の保持機能付水道用メータユニット。
【発明の詳細な説明】
【技術分野】
【０００１】
本発明は、メータボックスの両側に、１次側、２次側の各配管とメータユニットの各端部を継手する継手機構を、ゴム等の弾性土留め部材によって固定することにより、メータボックス内にメータユニットを固定的に保持して構成した保持機能付水道用メータユニットに関するものである。
【背景技術】
【０００２】
従来、メータユニットを格納収容するメータボックスは、単式のものも、複式のものも、メータボックス１内に水道メータ及び止水栓、継手等のメータユニット１１Ａを設置するために、メータボックスの下枡１ｂに、水道メータ及び止水栓、継手等を固定する固定ベース１２を設定して前記メータユニット１１Ａを固定した後に、メータボックス両側の配管貫通孔部１３a、１３ｂの外側から土砂等の異物混入を防止する土留め板１６０を設置して配管貫通孔１３a、１３ｂを閉止（非特許文献１）してきている。
【０００３】
また、非特許文献１に記載されているように土留め板１６０はプラスチックの薄板等、厚みの薄い素材によって形成され、配管貫通孔を閉止して土砂等の異物混入防止機能のみでメータユニットを固定的に保持する機能は有していない。
【先行技術文献】
【非特許文献】
【０００４】
【非特許文献１】前澤化成工業株式会社総合カタログ２００２年１０月版  ４６頁
【発明の概要】
【発明が解決しようとする課題】
【０００５】
従来、メータユニット設置時は、この種の土留め部材には図５、図６に示されるような土留め板１６０が用いられ、プラスチック等の板材の中央部に周囲に放射状の切り込み１６２を入れて挿通孔の拡縮を可能としたメータユニット等の継手部を挿通する挿通孔１６１を設けたものを配管貫通孔部１３ａ、１３ｂの外側から押し当てながら土砂等で固定するという面倒な作業が必要という問題があった。
【０００６】
更に、設定環境によってはメータボックス内に土砂等の異物が混入し水道メータの交換等において支障を来す事態にも成りかねないという問題もある。
【０００７】
また、メータユニットの保持のため、ベース等をボルト等により下枡に固定しているため、ベースの加工作業及び組立作業に多くの時間と労力を要していたものである。
【０００８】
本願発明は、前記各問題点に対応すると共に、土留め板機能とメータユニットの継手部をボックス内に固定することができるメータユニットの提供により、部品点数の削減及び加工組立工数を減少させて、安価で生産効率の高い保持機能付水道用メータユニットの提供を目的とするものである。
【課題を解決するための手段】
【０００９】
本発明は上記した課題に対応しようとするものであり、メータボックス両側の配管貫通孔部に、外形が同貫通孔部に嵌合し、内形がメータユニットの継手部の外形を保持する所定厚の弾性土留め部材を嵌着して、メータユニットのメータボックス内における位置決めと安定を図るように構成した。
【００１０】
この構成により、メータボックス内におけるメータユニットの位置決めや、輸送中のガタツキを防止すると共に、設置時において外部からの土砂等の異物の混入を最大限に防止し、更に、設置後においては地震や地盤沈下等の衝撃を土留め部材によって吸収し、メータユニットや配管部材の保護強化を図ることができるものである。
【００１１】
メータユニットを収容するメータボックスは、上枡と下枡に分割され、（必要な場合には、その中間に高さを調整する中間枡等を間入させる。）上下枡又は下枡と中間枡各枡の両側にそれぞれに枡の嵌合によって形成、或いは上下枡何れか一方の枡に形成される１次側と２次側の配管貫通孔部が設定され、それぞれに土留め部材が嵌着されるようになっている。
【００１２】
土留め部材は、収容するメータユニットの継手部を包持する内形部に、同継手部を収嵌する手段として部材を上下に２分割して挟持するようにしたり、一端を残した切れ込みにより内形部を開閉するようにしてメータユニットの継手部を内形部に包持できるように構成される。
【００１３】
土留め部材の外形は、メータボックスの両側に形成された前記配管貫通孔部の内形に形成される凹凸形状に対応してこれと嵌合する形状に構成され、必要に応じて端面に強化フランジ等を設けるようにする。
【発明の効果】
【００１４】
本発明は、以上のように構成したことにより、メータボックス内におけるメータユニットの位置決めや、輸送中のガタツキを防止すると共に、設置時において外部からの土砂等の異物の混入を最大限に防止し、更に、設置後においては地震や地盤沈下等の衝撃を土留め部材によって吸収し、メータユニットや配管部材の保護強化を図ることができるものである。
【図面の簡単な説明】
【００１５】
【図１】本発明の実施例を示すもので、メータボックスを断面として土留め部材の配置、１次側配管、２次側配管とメータユニットとの関係を示す埋設時における全体正面図。
【図２】同じく、メータボックスの配管貫通孔部に嵌着された土留め部材の状況を示すメータボックスの右側面図。
【図３】同じく、メータボックスが並列する複式メータユニットを収容する場合の配管貫通孔部と土留め部材の状況を示すメータボックスの平面図。
【図４】同じく、複式メータユニットを収容する場合における下枡のみの配管貫通孔部とそれに対応する土留め部材の状況を示すメータボックスの右側面図。
【図５】固定ベースをセット化したメータユニットの配列によりメータボックスを断面として、従来の土留め板を用いた土留め状況を示すメータボックス埋設時における全体正面図。
【図６】同じく、従来の土留め板を用いた土留め状況を示す図５の右側面図。
【図７】本発明による土留め部材の上下分割により実施例を示すもので、（１）は正面図、（２）は（１）のＡ−Ａ断面図である。
【図８】同じく、本発明による土留め部材の一端を残した切れ込みにより内形部を開閉するようにした実施例を示すもので、（１）は切り割りを閉じた状態の正面図、（２）は切り割りを開いた状態の正面図である。
【図９】同じく、図４記載の本発明による外形の周端縁にフランジを設けた土留め部材の実施例を示すもので、（１）は正面図、（２）は（１）のＡ−Ａ断面図、（３）は背面図である。
【図１０】同じく、本発明による土留め部材の実施例を示すもので、外形の周端縁にフランジ、胴部に突条を設け、内形の中間孔壁に突条を設けた実施例で、（１）は正面図、（２）は（１）のＡ−Ａ断面図、（３）は平面図である。
【図１１】同じく、本発明による土留め部材の実施例を示すもので、上下の各枡に形成された配管貫通孔部の内形に形成される凹凸形状に対応してこれと嵌合する形状に外形を構成したもので、上半の部材片外形には上枡配管貫通孔部の内形に形成された突端に嵌合する凹陥溝、下半の部材片外形には下枡配管貫通孔部の内形突端に嵌合する凹陥形状とこれに対応する強化張出しが形成されている実施例で、（１）は正面図、（２）は（１）のＡ−Ａ断面図、（３）は背面図、（４）は平面図である。
【図１２】図１１記載実施例の上下枡配管貫通孔部の内形との嵌合状況を示す縦断面側面図である。
【発明を実施するための形態】
【００１６】
以下、図面に基づいて本発明の実施の形態を説明する。１はメータボックスで、上枡１ａと下枡１ｂから成り、それぞれ上下枡の嵌合によって形成される１次側配管貫通孔部１３ａ、２次側配管貫通孔部１３ｂが設けられている。
【００１７】
水道メータ１１は、１次側に止水栓とメータ端部を着脱可能に着合する着合機構とが接合され、２次側に逆止弁機構とメータ端部着合受部が接合されてメータユニット１１Ａに構成され、下枡１ｂに設定された支持ベース体１２によって固定支持されている。
【００１８】
メータユニット１１Ａの両端は、１次側配管、２次側配管にそれぞれ接合される継手部１４ａ、１４ｂとなっており、１次側継手部１４ａには止水栓１１Ｂが、２次側継手部１４ｂには逆止弁機構１１Ｃがそれぞれ設定され、配管貫通孔部１３ａ、１３ｂを通じて１次側配管１５ａ、２次側配管１５ｂにそれぞれ継手接合される。
【００１９】
配管貫通孔部１３ａ、１３ｂには、メータボックス内部に土砂等の異物混入を防止するため土留め部材１６を設定するために、上枡１ａには土留め部材１６の上片部材１６ａの収嵌スペースを形成するための収嵌枠１３ｄ、下枡１ｂには土留め部材１６の下片部材１６ｂの収嵌スペースを形成するための収嵌枠１３ｅが、或いは下枡か上枡の何れかの一方に収嵌枠１３が１次側と２次側にそれぞれ設けられている。なお、上下枡の間に高さを調整する中間枡等を間入させる場合には、中間枡には土留め部材１６の上片部材１６ａの収嵌スペースを形成するための収嵌枠１３ｄ、下枡１ｂには土留め部材１６の下片部材１６ｂの収嵌スペースを形成するための収嵌枠１３ｅが１次側と２次側にそれぞれ設けられることになる。
【００２０】
土留め部材１６は、後述するように、その設定環境により様々な実施形態が存在するが、実施例１は図７に示すように外形楕円状の土留め部材を上下分割により上片部材１６ａと下片部材１６ｂに分割し、上片部材１６ａを収嵌枠１３ｄ、下片部材１６ｂを収嵌枠１３ｅに嵌合し、上下枡の嵌合により土留め部材１６が組合せ形成される。
【００２１】
土留め部材１６の厚みは、上下の部材片の挟持により継手部１４ａ、１４ｂの位置が安定して保持される程度のもので、素材はゴム等の弾性素材を用い、土留め部材１６の厚みと素材の弾性とが相俟ってメータユニットをメータボックス内に安定的に保持固定するものである。
【００２２】
実施例２は、図８に示すように土留め部材の一端１６ｆを残した切れ込み１６ｅにより内形部１６ｄを開閉するようにしたもので、部材を分割せずに継手部１４を嵌着挟持することができ、設定環境により部材片の紛失防止や収嵌枠１３への部材片嵌合作業の効率化に寄与するものである。
なお、切れ込み残１６ｆの部位は設定環境により適宜選択することができる。
【００２３】
実施例３は図９に示すように土留め部材１６の周端縁にフランジ１７を設けた土留め部材の実施例を示すもので、フランジ１７は部材の形状強度を強化すると共に、収嵌枠１３の端縁に係架して、これに対する嵌着ストッパーの役割を果たすものである。
【００２４】
実施例４は図１０に示すように土留め部材１６の内形及び外形に突条１８ａと１８ｂを形成することによって継手部１４及び収嵌枠１３との係着を強化したものである。
【００２５】
実施例５は図１１、１２に示すように土留め部材１６の外形を収嵌枠１３の内形壁面に形成された構造的凹凸面に対応して嵌合する凹陥部１９ａ突条部１９ｂ、突起部１９ｄを形成して、形状着合を図ることにより、土留め部材１６と収嵌枠１３との密着度を高めると共に、継手部１４のメータボックス内における固定を安定させ、併せて土留め効果を高めるようにしたものである。
【００２６】
更に、突起部１９ｄは土留め部材１６の下片部材１６ｂの下半部全体にわたり肉厚の突出体を形成し、部材全体を形状強化すると共に、下端片が収嵌枠１３の包持面に嵌着する凹陥部１９ａを形成するようになっている。
【産業上の利用可能性】
【００２７】
本発明に係る保持機能付メータユニットと土留め部材は、上記のように収容するメータユニットの継手部を包持する内形部に、同継手部を収嵌するメータユニットに独自の保持機能を付加したので、収容ボックス内におけるメータユニットの位置決めや、輸送中のガタツキを防止すると共に、設置時において外部からの土砂等の異物の混入を最大限に防止し、更に、設置後においては地震や地盤沈下等の衝撃を土留め部材によって吸収し、メータユニットや配管部材の保護強化を図ることができるもので水道機器産業において水道メータの保全、交換等のメンテナンスに利用することができる。
【符号の説明】
【００２８】
１      メータボックス
１ａ    メータボックスの上枡
１ｂ    メータボックスの下枡
１１    水道メータ
１１Ａ  メータユニット
１１Ｂ  止水栓
１１Ｃ  逆止弁機構
１２    メータユニットの支持ベース体
１３    土留め部材収嵌枠
１３ａ  １次側配管貫通孔部
１３ｂ  ２次側配管貫通孔部
１３ｄ  上枡の収嵌枠
１３ｅ  下枡の収嵌枠
１４    継手部
１４ａ  メータユニットの１次側継手部
１４ｂ  メータユニットの２次側継手部
１５ａ  １次側配管
１５ｂ  ２次側配管
１６    土留め部材
１６ａ  土留め部材の上片部材
１６ｂ  土留め部材の下片部材
１６ｄ  土留め部材の内形部
１６ｅ  土留め部材の切れ込み
１６ｆ  土留め部材の切れ込み残部
１７    土留め部材のフランジ
１８ａ  土留め部材の内形に形成された突条
１８ｂ  土留め部材の外形に形成された突条
１９ａ  土留め部材に形成された凹陥部
１９ｂ  土留め部材に形成された突条部
１９ｄ  土留め部材の形成された突起部
１６０  従来製品における土留め板
１６１  従来製品における土留め板の挿通孔
１６２  従来製品における土留め板挿通孔の周囲に設けた外周の放射状切り込み
【図１】
0006543202.tif 000002
【図２】
0006543202.tif 000003
【図３】
0006543202.tif 000004
【図４】
0006543202.tif 000005
【図５】
0006543202.tif 000006
【図６】
0006543202.tif 000007
【図７】
0006543202.tif 000008
【図８】
0006543202.tif 000009
【図９】
0006543202.tif 000010
【図１０】
0006543202.tif 000011
【図１１】
0006543202.tif 000012
【図１２】
0006543202.tif 000013